(57)【要約】【課題】換気性能に優れ、かつ雨水が小屋裏に侵入するのを防止できる化粧スレート葺き屋根用の棟換気部材１０を提供すること。【解決手段】化粧スレート２３を葺いた屋根の棟部に設けられている棟換気口２４に被せることにより、棟換気口２４から順に下側通気空間２０、インナープレート１２の開口１２ｃ、上側通気空間２２を通って屋根側換気口１１ｃに至る通気通路Ａを区画形成する。通気通路Ａによって棟換気口２４と屋根側換気口１１ｃを連通し、小屋裏の空気が棟換気口２４から通気通路Ａを通り、屋根側換気口１１ｃから外部に排出する。屋根側換気口１１ｃから通気通路Ａに侵入した雨水Ｂを長尺スペーサー１４の水抜き溝１４ｃを通して通気通路Ａの外部に排水する。屋根側換気口１１ｃから通気通路Ａに侵入した雨水Ｂが棟換気口２４から小屋裏へ侵入するのを棟側水返し１３ｃで防止するとともに、長尺スペーサー１４の水抜き溝１４ｃから雨水Ｂが通気通路Ａに侵入するのを軒側水返し１１ｂで防止する。【選択図】図１
2014224426.tif 000002
【特許請求の範囲】
【請求項１】
化粧スレート葺き屋根の棟に設けられた棟換気口に被せて小屋裏を換気する化粧スレート葺き屋根用の棟換気部材であって、
左右の斜面を有する断面形状が略山形のアッパープレートと、左右の斜面を有する断面形状が略山形のインナープレートと、ロアプレートと、長尺スペーサーを備え、
アッパープレートの前記斜面に屋根側換気口を形成し、
アッパープレートの軒側端部又はロアプレートの軒側端部に軒側水返しを形成し、
インナープレートの軒側縁部に開口を形成し、
ロアプレートの棟側端部に棟側水返しを形成し、
長尺スペーサーの底面に水抜き溝を形成し、
アッパープレートの前記斜面の軒側端部を長尺スペーサーの上面に固定し、
ロアプレートの軒側端部を長尺スペーサーの底面に固定し、
インナープレートの軒側端部を長尺スペーサーの中間部に固定して、
アッパープレートの前記斜面とインナープレートの前記斜面で上側通気空間を区画形成するとともに、インナープレートの前記斜面とロアプレートで下側通気空間を区画形成し、
棟換気口から順に下側通気空間、インナープレートの開口、上側通気空間を通って屋根側換気口に至る通気通路を区画形成し、
屋根側換気口から通気通路に侵入した雨水を長尺スペーサーの水抜き溝を通して通気通路の外部に排水し、
屋根側換気口から通気通路に侵入した雨水が棟換気口から小屋裏へ侵入するのを前記棟側水返しで防止し、
長尺スペーサーの水抜き溝から雨水が通気通路に侵入するのを前記軒側水返しで防止するようにしたことを特徴とする化粧スレート葺き屋根用の棟換気部材。
【請求項２】
短尺スペーサーと扁平な箱型の通路部材とを備え、
前記上側通気空間に短尺スペーサーを配置してアッパープレートとインナープレート及び短尺スペーサーを一体に連結し、
前記下側通気空間に通路部材を配置してインナープレートとロアプレート及び通路部材を一体に連結したことを特徴とする請求項１に記載の化粧スレート葺き屋根用の棟換気部材。
【発明の詳細な説明】
【技術分野】
【０００１】
本発明は化粧スレート葺き屋根用の棟換気部材に関する。
【背景技術】
【０００２】
化粧スレート葺き屋根に用いられる棟換気部材の一形式として、特開平７−１０９７９７号公報には、不揃いな合成繊維を接合して形成したメッシュの変化する通気性マットが開示されている。
この通気性マットを化粧スレート葺き屋根の棟に設けられた棟換気口に被せることにより小屋裏を換気することができる。
【先行技術文献】
【特許文献】
【０００３】
【特許文献１】特開平７−１０９７９７号公報
【発明の概要】
【発明が解決しようとする課題】
【０００４】
上記した通気性マットは、雨水が浸透して小屋裏に侵入するおそれがある。また、雨水が浸入しないように沢山のシートを積層してマットを構成した場合、空気の流通量が少なくなり、小屋裏を十分に換気することができない。
【０００５】
本発明はかかる点に鑑み、換気性能に優れ、かつ雨水が小屋裏に侵入するのを防止できる化粧スレート葺き屋根用の棟換気部材を提供することを目的とする。
【課題を解決するための手段】
【０００６】
請求項１に記載の発明は、化粧スレート葺き屋根の棟に設けられた棟換気口に被せて小屋裏を換気する化粧スレート葺き屋根用の棟換気部材であって、
左右の斜面を有する断面形状が略山形のアッパープレートと、左右の斜面を有する断面形状が略山形のインナープレートと、ロアプレートと、長尺スペーサーを備え、
アッパープレートの前記斜面に屋根側換気口を形成し、
アッパープレートの軒側端部又はロアプレートの軒側端部に軒側水返しを形成し、
インナープレートの軒側縁部に開口を形成し、
ロアプレートの棟側端部に棟側水返しを形成し、
長尺スペーサーの底面に水抜き溝を形成し、
アッパープレートの前記斜面の軒側端部を長尺スペーサーの上面に固定し、
ロアプレートの軒側端部を長尺スペーサーの底面に固定し、
インナープレートの軒側端部を長尺スペーサーの中間部に固定して、
アッパープレートの前記斜面とインナープレートの前記斜面で上側通気空間を区画形成するとともに、インナープレートの前記斜面とロアプレートで下側通気空間を区画形成し、
棟換気口から順に下側通気空間、インナープレートの開口、上側通気空間を通って屋根側換気口に至る通気通路を区画形成し、
屋根側換気口から通気通路に侵入した雨水を長尺スペーサーの水抜き溝を通して通気通路の外部に排水し、
屋根側換気口から通気通路に侵入した雨水が棟換気口から小屋裏へ侵入するのを前記棟側水返しで防止し、
長尺スペーサーの水抜き溝から雨水が通気通路に侵入するのを前記軒側水返しで防止するようにしたことを特徴とする。
【０００７】
請求項２に記載の発明は、請求項１に記載の化粧スレート葺き屋根用の棟換気部材において、
短尺スペーサーと扁平な箱型の通路部材とを備え、
前記上側通気空間に短尺スペーサーを配置してアッパープレートとインナープレート及び短尺スペーサーを一体に連結し、
前記下側通気空間に通路部材を配置してインナープレートとロアプレート及び通路部材を一体に連結したことを特徴とする。
【発明の効果】
【０００８】
請求項１に記載の発明によれば、通気通路によって棟換気口と屋根側換気口が連通するので、小屋裏の空気が棟換気口から通気通路を通り屋根側換気口から外部に排出され、小屋裏が換気される。
一方、屋根側換気口から通気通路に侵入した雨水は長尺スペーサーの水抜き溝を通して通気通路の外部に排水されるとともに、棟換気口から小屋裏へ侵入するのを前記棟側水返しで防止できる。また、長尺スペーサーの水抜き溝から雨水が通気通路に侵入するのを軒側水返しで防止できる。
しかして、本発明によれば、アッパープレートとインナープレート及びロアプレートで通気通路を区画形成したので、小屋裏を換気するに必要な空気流通量を確保できる。
【０００９】
請求項２に記載の発明によれば、アッパープレートとインナープレート及び短尺スペーサーを一体に連結するとともに、インナープレートとロアプレート及び通路部材を一体に連結したので、棟換気部材としての剛性が大きくなり、高い耐久性を得ることができる。  
【図面の簡単な説明】
【００１０】
【図１】本発明の実施例に係る棟換気部材を示す断面図である。
【図２】同換気部材の表側を示す斜視図である。
【図３】同換気部材の裏側を示す斜視図である。
【図４】同換気部材のアッパープレートの裏側を示す斜視図である。
【図５】同換気部材のインナープレートの表側と長尺スペーサーを示す斜視図である。
【図６】同換気部材のロアプレートの表側を示す斜視図である。
【図７】同換気部材の組み付けられたインナープレートとロアプレートの表側を示す斜視図である。
【図８】同換気部材の組み付けられたインナープレートと通気部材とロアプレートの裏側を示す斜視図である。
【図９】同換気部材の組み付けられたインナープレートとロアプレートの裏側を示す斜視図である。
【実施例】
【００１１】
以下に本発明を図面に基づき説明する。図１、図２及び図３には本発明の一実施例に係る化粧スレート葺き屋根用の換気部材１０が示されている。当該換気部材１０はアッパープレート１１、インナープレート１２、左右２枚のロアプレート１３、左右２本の角材状の長尺スペーサー１４、左右２個のブロック状の短尺スペーサー１５及び左右２個の扁平な箱型の通路部材１６を備えている。
【００１２】
アッパープレート１１は板金のプレス成型品で、図２、図３及び図４に示すように、左右の斜面１１ａを備えた断面山形の形状に成形されている。アッパープレート１１の各斜面１１ａの端部は外側へ折り曲げて軒側水返し１１ｂが形成され、軒側水返し１１ｂの裏面にクッション材１７が貼着されている。アッパープレート１１の各斜面１１ａには屋根側換気口１１ｃが複数箇所に形成されている。
【００１３】
インナープレート１２は板金のプレス成型品で、図５に示すように、山形の頂部１２ａと、頂部１２ａに続く左右の斜面１２ｂからなる断面略山形に成形されている。左右の斜面１２ｂには複数箇所に開口１２ｃが形成されている。好ましくは、山形の頂部の内面に湿気吸収材１２ｄ（図１参照）を貼着する。
【００１４】
ロアプレート１３は板金のプレス成型品で、図６に示すように、底面１３ａと、底面１３ａの長手方向の一端を折り曲げて形成した側面１３ｂを備え、側面１３ｂの上端部を内側に折り曲げて棟側水返し１３ｃが形成されている。ロアプレート１３の長手方向の寸法はインナープレート１２の長手方向の寸法と略同寸に成形されている。
【００１５】
長尺スペーサー１４は人工木から成り、長手方向の寸法はインナープレート１２の長手方向の寸法と略同寸に成形されている。図５に示すように、長尺スペーサー１４の一側面の中間部には長手方向に沿って１本の横溝１４ａが形成されるとともに、横溝１４ａに直交する複数本の縦溝１４ｂが形成されている。また、長尺スペーサー１４の底面には断面円弧形の水抜き溝１４ｃが形成されている。
【００１６】
短尺スペーサー１５は人工木から成り、図５と図８に示すように直方体のブロック形状を有する。また、通路部材１６は図８に示すように、扁平な箱型形状を有し、内部に多数の通気開口１６ａが形成されている。
【００１７】
図１、図７、図８、図９に示すように、長尺スペーサー１４の横溝１４ａにインナープレート１２の斜面１２ｂの端部を嵌合して固定し、通路部材１６をインナープレート１２の斜面１２ｂの裏面に接着して固定し、通路部材１６にビス１８でロアプレート１３を固定し、インナープレート１２とロアプレート１３の長手方向の端部に蓋１９を被せることにより、インナープレート１２と長尺スペーサー１４、通路部材１６及びロアプレート１３を一体に連結して下側通気空間２０（図１参照）が区画形成されている。
【００１８】
図８に示すように、インナープレート１２の斜面１２ｂに短尺スペーサー１５が接着されている。図１及び図３に示すように、アッパープレート１１の山形の頂部内側にインナープレート１２の山形の頂部１２ａを密着させ、ビス２１をアッパープレート１１の斜面１１ａと短尺スペーサー１５を貫通して通路部材１６にねじ込み、アッパープレート１１とインナープレート１２を一体に連結する。これにより、アッパープレート１１とインナープレート１２及びロアプレート１３が長尺スペーサー１４と短尺スペーサー１５を介して一体に連結され、アッパープレート１１の斜面１１ａとインナープレート１２の斜面１２ｂで上側通気空間２２（図１参照）が区画形成される。
【００１９】
アッパープレート１１とインナープレート１２及びロアプレート１３を一体に連結して構成した換気部材１０は図１に示すように、化粧スレート２３を葺いた屋根に設けられている棟換気口２４の周囲に敷設したシーラー２５の上から棟換気口２４に被せ、長尺スペーサー１４とロアプレート１３を貫通する長釘２６で野地板２７に固定する。
【００２０】
本実施例に係る棟換気部材１０の構造は以上の通りであって、図１に示すように化粧スレート２３を葺いた屋根の棟部に設けられている棟換気口２４に被せることにより、棟換気口２４から順に下側通気空間２０、インナープレート１２の開口１２ｃ、上側通気空間２２を通って屋根側換気口１１ｃに至る通気通路Ａが区画形成されるので、通気通路Ａによって棟換気口２４と屋根側換気口１１ｃを連通でき、小屋裏の空気が棟換気口２４から通気通路Ａを通り、屋根側換気口１１ｃから外部に排出できる。
【００２１】
また、屋根側換気口１１ｃから通気通路Ａに侵入した雨水Ｂを長尺スペーサー１４の水抜き溝１４ｃを通して通気通路Ａの外部に排水できる。
【００２２】
屋根側換気口１１ｃから通気通路Ａに侵入した雨水Ｂが棟換気口２４から小屋裏へ侵入するのを棟側水返し１３ｃで防止できるとともに、長尺スペーサー１４の水抜き溝１４ｃから雨水Ｂが通気通路Ａに侵入するのを軒側水返し１１ｂで防止できる。また、長尺スペーサー１４の横溝１４ａに侵入した雨水Ｂは縦溝１４ｂを通して水抜き溝１４ｃへ導くことができる。
【００２３】
上側通気空間２２と下側通気空間２０を形成するアッパープレート１１とインナープレート１２及びロアプレート１３を長尺スペーサー１４と短尺スペーサー１５及び通路部材１６を介して一体に連結したので、棟換気部材１０としての剛性が大きくなり、高い耐久性を得ることができる。  
【符号の説明】
【００２４】
１０…棟換気部材
１１…アッパープレート
１１ａ…斜面
１１ｂ…軒側水返し
１１ｃ…屋根側換気口
１２…インナープレート
１２ｂ…斜面
１２ｃ…開口
１３…ロアプレート
１３ｃ…棟側水返し
１４…長尺スペーサー
１４ｃ…水抜き溝
１５…短尺スペーサー
１６…通路部材
２０…下側通気空間
２２…上側通気空間
２３…化粧スレート
２４…棟換気口
Ａ…通気通路
Ｂ…雨水
【図１】
2014224426.tif 000003
【図２】
2014224426.tif 000004
【図３】
2014224426.tif 000005
【図４】
2014224426.tif 000006
【図５】
2014224426.tif 000007
【図６】
2014224426.tif 000008
【図７】
2014224426.tif 000009
【図８】
2014224426.tif 000010
【図９】
2014224426.tif 000011